(57)【要約】【課題】無駄な電力消費を抑制することが可能なプロジェクター及びその制御方法を提供する。【解決手段】プロジェクター１は、画像情報が入力される画像情報入力部３３と、光を射出する光源装置１１Ｒ，１１Ｇ，１１Ｂと、光源装置１１Ｒ，１１Ｇ，１１Ｂから射出された光を、画像情報に基づいて変調して画像を形成する光変調装置１４Ｒ，１４Ｇ，１４Ｂと、光変調装置１４Ｒ，１４Ｇ，１４Ｂで形成された画像を投写する投写レンズ１６と、画像の変化の有無を検知する変化検知部３５と、変化検知部３５が画像に変化がないことを検知した場合に、光源装置１１Ｒ，１１Ｇ，１１Ｂの点灯状態を、消費電力の小さい状態に切り替える制御部３０と、を備えたことを特徴とする。【選択図】図１
2010286576.tif 000002
【特許請求の範囲】
【請求項１】
画像情報が入力される画像情報入力部と、
光を射出する光源装置と、
前記光源装置から射出された光を、前記画像情報に基づいて変調して画像を形成する光変調装置と、
前記光変調装置で形成された前記画像を投写する投写光学系と、
前記画像情報に基づいて、前記画像の変化の有無を検知する検知部と、
前記画像が変化していないことを前記検知部が検知した場合に、前記光源装置の点灯状態を、消費電力の小さい状態に切り替える制御部と、
を備えたことを特徴とするプロジェクター。
【請求項２】
請求項１に記載のプロジェクターであって、
前記検知部は、前記画像情報に基づく基準値を時間を隔てて算出し、前記基準値の比較結果に基づいて、前記画像の変化の有無を検知することを特徴とするプロジェクター。
【請求項３】
請求項２に記載のプロジェクターであって、
前記検知部は、前記画像を複数の領域に区分して、前記領域毎に前記基準値を算出することを特徴とするプロジェクター。
【請求項４】
請求項１〜３のいずれか１項に記載のプロジェクターであって、
前記制御部は、前記画像が変化していないことを前記検知部が検知した場合に、前記光源装置を消灯させることを特徴とするプロジェクター。
【請求項５】
請求項１〜３のいずれか１項に記載のプロジェクターであって、
前記制御部は、前記画像が変化していないことを前記検知部が検知した場合に、前記光源装置の明るさを低減させることを特徴とするプロジェクター。
【請求項６】
請求項１〜３のいずれか１項に記載のプロジェクターであって、
前記制御部は、前記画像が変化していないことを前記検知部が検知した場合に、前記光源装置を点滅させることを特徴とするプロジェクター。
【請求項７】
請求項１〜３のいずれか１項に記載のプロジェクターであって、
前記光源装置は、複数の発光素子を含んで構成され、
前記制御部は、前記画像が変化していないことを前記検知部が検知した場合に、前記複数の発光素子の中の一部を消灯させることを特徴とするプロジェクター。
【請求項８】
請求項１〜３のいずれか１項に記載のプロジェクターであって、
前記光源装置を駆動する光源駆動部をさらに備え、
前記制御部は、前記画像が変化していないことを前記検知部が検知した場合に、前記光源駆動部に対する電力供給を停止させることを特徴とするプロジェクター。
【請求項９】
請求項１〜８のいずれか１項に記載のプロジェクターであって、
前記光源装置は、固体光源を備えて構成されることを特徴とするプロジェクター。
【請求項１０】
請求項１〜９のいずれか１項に記載のプロジェクターであって、
前記光源装置は、電池を電源として動作することを特徴とするプロジェクター。
【請求項１１】
光源装置から射出された光を、入力される画像情報に基づいて変調して画像を形成し、形成した前記画像を投写するプロジェクターの制御方法であって、
前記画像情報に基づいて、前記画像の変化の有無を検知する検知ステップと、
前記画像が変化していないことが前記検知ステップで検知された場合に、前記光源装置の点灯状態を、消費電力の小さい状態に切り替える光源制御ステップと、
を備えたことを特徴とするプロジェクターの制御方法。
【発明の詳細な説明】
【技術分野】
【０００１】
本発明は、光源装置から射出された光を変調して投写するプロジェクター及びその制御方法に関する。
【背景技術】
【０００２】
光源装置から射出された光を、入力された画像情報に応じて変調して画像を形成し、この画像をスクリーン等に拡大して投写するプロジェクターにおいて、画像情報の入力の有無に応じて光源装置の点灯状態を制御するプロジェクター（投射型表示装置）が提案されている（例えば、特許文献１、２）。特許文献１及び特許文献２に記載のプロジェクターによれば、画像情報の入力がないとき、即ち投写すべき画像がないときに、光源装置を消灯させたり、輝度を低下させたりするため、無駄な電力消費を抑制することが可能となる。
【先行技術文献】
【特許文献】
【０００３】
【特許文献１】特開２００１−１３３８８０号公報
【特許文献２】特開２００３−５１４７号公報
【発明の概要】
【発明が解決しようとする課題】
【０００４】
しかしながら、特許文献１及び特許文献２に記載のプロジェクターは、画像情報の入力がないときに光源装置の消費電力を低減させるものであるため、画像情報が入力され続けている状態で放置された場合等には有効ではない。つまり、投写される画像を誰も鑑賞していない状況下等であっても、画像情報が入力されている限り無駄な電力が消費されてしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、画像情報が入力される画像情報入力部と、光を射出する光源装置と、前記光源装置から射出された光を、前記画像情報に基づいて変調して画像を形成する光変調装置と、前記光変調装置で形成された前記画像を投写する投写光学系と、前記画像情報に基づいて、前記画像の変化の有無を検知する検知部と、前記画像が変化していないことを前記検知部が検知した場合に、前記光源装置の点灯状態を、消費電力の小さい状態に切り替える制御部と、を備えたことを特徴とする。
【０００７】
このプロジェクターによれば、画像が変化していないことを検知部が検知した場合に、制御部は、光源装置の点灯状態を消費電力の小さい状態に切り替えるため、画像が変化しない状態で画像情報が入力され続けている場合の無駄な電力消費を抑制することが可能となる。
【０００８】
［適用例２］上記適用例に係るプロジェクターにおいて、前記検知部は、前記画像情報に基づく基準値を時間を隔てて算出し、前記基準値の比較結果に基づいて、前記画像の変化の有無を検知することが望ましい。
【０００９】
このプロジェクターによれば、検知部は、画像情報に基づく基準値を比較することによって画像の変化の有無を検知するため、画像情報を直接比較する場合に比べて、検知を行う際の負荷を軽減することが可能となる。
【００１０】
［適用例３］上記適用例に係るプロジェクターにおいて、前記検知部は、前記画像を複数の領域に区分して、前記領域毎に前記基準値を算出することが望ましい。
【００１１】
このプロジェクターによれば、検知部は、画像を複数の領域に区分して、領域毎に基準値を算出するため、基準値の算出や比較を並列に処理することが可能となり、検知を短時間で行うことが可能となる。
【００１２】
［適用例４］上記適用例に係るプロジェクターにおいて、前記制御部は、前記画像が変化していないことを前記検知部が検知した場合に、前記光源装置を消灯させるようにしてもよい。
【００１３】
［適用例５］上記適用例に係るプロジェクターにおいて、前記制御部は、前記画像が変化していないことを前記検知部が検知した場合に、前記光源装置の明るさを低減させるようにしてもよい。
【００１４】
［適用例６］上記適用例に係るプロジェクターにおいて、前記制御部は、前記画像が変化していないことを前記検知部が検知した場合に、前記光源装置を点滅させるようにしてもよい。
【００１５】
［適用例７］上記適用例に係るプロジェクターにおいて、前記光源装置は、複数の発光素子を含んで構成され、前記制御部は、前記画像が変化していないことを前記検知部が検知した場合に、前記複数の発光素子の中の一部を消灯させるようにしてもよい。
【００１６】
なお、画像が変化していないことを検知部が検知した場合に、光源装置を完全に消灯させてしまうと、プロジェクターの電源がオフになったものとユーザーに勘違いされる恐れがあるが、光源装置の明るさを低減させたり、光源装置を点滅させたり、一部の発光素子を消灯させたりする場合には、消費電力を抑制した状態であることを、ユーザーに認識させることが容易である。
【００１７】
［適用例８］上記適用例に係るプロジェクターにおいて、前記光源装置を駆動する光源駆動部をさらに備え、前記制御部は、前記画像が変化していないことを前記検知部が検知した場合に、前記光源駆動部に対する電力供給を停止させるようにしてもよい。
【００１８】
このプロジェクターによれば、画像が変化していないことを検知部が検知した場合に、制御部は、光源装置を駆動する光源駆動部に対する電力供給を停止させるため、電力消費を一層抑制することが可能となる。
【００１９】
［適用例９］上記適用例に係るプロジェクターにおいて、前記光源装置は、固体光源を備えて構成されることが望ましい。
【００２０】
このプロジェクターによれば、光源装置が固体光源を備えているため、放電型ランプを用いる場合に比べて、点灯状態の切り替えを瞬時に行うことが可能となる。
【００２１】
［適用例１０］上記適用例に係るプロジェクターにおいて、前記光源装置は、電池を電源として動作するようにしてもよい。
【００２２】
［適用例１１］本適用例に係るプロジェクターの制御方法は、光源装置から射出された光を、入力される画像情報に基づいて変調して画像を形成し、形成した前記画像を投写するプロジェクターの制御方法であって、前記画像情報に基づいて、前記画像の変化の有無を検知する検知ステップと、前記画像が変化していないことが前記検知ステップで検知された場合に、前記光源装置の点灯状態を、消費電力の小さい状態に切り替える光源制御ステップと、を備えたことを特徴とする。
【００２３】
このプロジェクターの制御方法によれば、画像が変化していないことが検知された場合に、光源装置の点灯状態を消費電力の小さい状態に切り替えるため、画像が変化しない状態で画像情報が入力され続けている場合の無駄な電力消費を抑制することが可能となる。
【００２４】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００２５】
【図１】第１実施形態のプロジェクターの概略構成を示すブロック図。
【図２】第１実施形態の画像投写部をより詳細に説明するための説明図。
【図３】通常モードにおけるプロジェクターの動作を説明するフローチャート。
【図４】省エネモードにおけるプロジェクターの動作を説明するフローチャート。
【図５】第２実施形態のプロジェクターの概略構成を示すブロック図。
【図６】第３実施形態の画像投写部を説明するための説明図。
【図７】変形例に係る光源装置を説明するための説明図。
【発明を実施するための形態】
【００２６】
（第１実施形態）
以下、光源装置から射出された光を変調して画像を形成し、この画像を外部のスクリーン等に投写するプロジェクターについて、図面を参照して説明する。
本実施形態のプロジェクターは、ユーザーによる入力操作等に基づいて、光源装置を所定の明るさで点灯させる通常モードと、通常モードよりも光源装置の発光輝度を暗くすることによって電力消費を低減させる省エネモードとを切り替え可能になっている。投写される画像をユーザーが鑑賞する際には通常モードに設定され、画像の鑑賞を一時的に中断する際等には省エネモードに設定される。
【００２７】
図１は、プロジェクターの概略構成を示すブロック図である。
図１に示すように、プロジェクター１は、画像投写部１０、制御部３０、記憶部３１、入力操作部３２、画像情報入力部３３、画像処理部３４、駆動回路３６、電源回路３９等で構成されている。
【００２８】
画像投写部１０は、半導体レーザーを備えて構成される３つの光源装置１１Ｒ，１１Ｇ，１１Ｂと、３つの光変調装置１４Ｒ，１４Ｇ，１４Ｂと、投写光学系としての投写レンズ１６とを含んでいる。画像投写部１０は、光源装置１１Ｒ，１１Ｇ，１１Ｂから射出された光を、光変調装置１４Ｒ，１４Ｇ，１４Ｂで変調して画像光を形成し、この画像光を投写レンズ１６から投写することによって外部のスクリーンＳＣ等に画像を表示する。
【００２９】
図２は、画像投写部１０をより詳細に説明するための説明図であり、光源装置１１Ｒ，１１Ｇ，１１Ｂから射出された光の光路を示している。
図２に示すように、画像投写部１０は、上述した３つの光源装置１１Ｒ，１１Ｇ，１１Ｂ、３つの光変調装置１４Ｒ，１４Ｇ，１４Ｂ、及び投写レンズ１６の他に、拡散素子１２Ｒ，１２Ｇ，１２Ｂ、フィールドレンズ１３Ｒ，１３Ｇ、１３Ｂ、クロスダイクロイックプリズム１５等を備えている。
【００３０】
光源装置１１Ｒは、赤色光を射出する光源装置であり、光源装置１１Ｒから射出された赤色光は、拡散素子１２Ｒ及びフィールドレンズ１３Ｒを経て、光変調装置１４Ｒを照明する。拡散素子１２Ｒは、照明範囲の形状を整えたり、照明範囲内における光量分布を均一化したりするものであり、例えば、回折光学素子である計算機合成ホログラム（Computer Generated Hologram；ＣＧＨ）を用いることができる。フィールドレンズ１３Ｒは、光源装置１１Ｒからの光を平行化させ、光変調装置１４Ｒへと導く光学素子である。
【００３１】
光源装置１１Ｇは、緑色光を射出する光源装置であり、光源装置１１Ｇから射出された緑色光は、拡散素子１２Ｇ及びフィールドレンズ１３Ｇを経て、光変調装置１４Ｇを照明する。また、光源装置１１Ｂは、青色光を射出する光源装置であり、光源装置１１Ｂから射出された青色光は、拡散素子１２Ｂ及びフィールドレンズ１３Ｂを経て、光変調装置１４Ｂを照明する。なお、拡散素子１２Ｇ，１２Ｂ及びフィールドレンズ１３Ｇ，１３Ｂの機能は、それぞれ拡散素子１２Ｒ及びフィールドレンズ１３Ｒと同一である。
【００３２】
光変調装置１４Ｒ，１４Ｇ，１４Ｂは、一対の透明基板間に液晶が封入された透過型の液晶パネルを備えており、透明基板の内面には、液晶に対して微小領域（画素）毎に駆動電圧を印加可能な透明電極（画素電極）がマトリクス状に形成されている。なお、透過型の液晶パネルとしては、例えば、高温ポリシリコン（High Temperature PolySilicon；ＨＴＰＳ）ＴＦＴ液晶パネルを用いることができる。
【００３３】
ここで、液晶パネルの各画素に、画像情報に基づく駆動電圧が印加されると、光変調装置１４Ｒ，１４Ｇ，１４Ｂに入射した光は、駆動電圧に応じて画素毎に変調され、駆動電圧に応じた透過率で各画素を透過する。これにより、階調を有する画像光が色光毎に形成される。光変調装置１４Ｒ，１４Ｇ，１４Ｂから射出した各色光からなる画像光は、クロスダイクロイックプリズム１５に入射する。
【００３４】
クロスダイクロイックプリズム１５には、赤色光を反射する誘電体多層膜と、青色光を反射する誘電体多層膜とが、４つの直角プリズムの界面に沿って略Ｘ字状に設けられており、光変調装置１４Ｒ，１４Ｇ，１４Ｂで形成された各色の画像光は、これらの誘電体多層膜によって合成される。クロスダイクロイックプリズム１５で合成された画像光は、カラーの画像光として射出面から射出され、投写レンズ１６に入射する。
【００３５】
投写レンズ１６は、クロスダイクロイックプリズム１５の射出面側に配置されており、クロスダイクロイックプリズム１５で合成された画像光を拡大して投写する。投写レンズ１６から射出された画像光は、外部のスクリーンＳＣ等に投写される。
【００３６】
図１に戻って、制御部３０は、ＣＰＵ（Central Processing Unit）や、各種データ等の一時記憶に用いられるＲＡＭ（Random Access Memory）等を備え、記憶部３１に記憶されている制御プログラムに従って動作することによりプロジェクター１の動作を統括制御する。つまり、制御部３０は、記憶部３１とともにコンピューターとして機能する。
【００３７】
記憶部３１は、フラッシュメモリーや、ＦｅＲＡＭ（Ferroelectric RAM：強誘電体メモリー）等、書き替え可能な不揮発性のメモリーにより構成されている。記憶部３１には、プロジェクター１の動作を制御するための制御プログラムや、プロジェクター１の動作条件等を規定する各種設定データ等が記憶されている。
【００３８】
入力操作部３２は、ユーザーによる入力操作を受け付けるものであり、ユーザーがプロジェクター１に対して各種指示を行うための複数の操作キーを備えている。入力操作部３２が備える操作キーとしては、電源のオンとオフとを切り替えるための電源キーや、通常モードと省エネモードとを切り替えるためのモード切替キー等がある。ユーザーが入力操作部３２の各種操作キーを操作すると、入力操作部３２は、ユーザーの操作内容に応じた操作信号を制御部３０に出力する。なお、入力操作部３２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部３０に伝達する。
【００３９】
画像情報入力部３３は、図示しない入力端子を備えており、この入力端子には、ビデオ再生装置やパーソナルコンピューター等、外部の画像出力装置から出力される画像情報が入力される。画像情報入力部３３に入力された画像情報は、画像処理部３４に供給される。
【００４０】
画像処理部３４は、画像情報入力部３３から入力される画像情報を、フレーム単位（画面単位）で、光変調装置１４Ｒ，１４Ｇ，１４Ｂの各画素の階調を表す画像情報に変換する。ここで、変換された画像情報は、Ｒ，Ｇ，Ｂの色光別になっており、各光変調装置１４Ｒ，１４Ｇ，１４Ｂのすべての画素に対応する複数の画素値によって構成されている。画素値とは、対応する画素の光透過率を定めるものであり、この画素値によって、各画素から射出する光の強弱（階調）が規定される。画像処理部３４は、変換後の画像情報を駆動回路３６の変調駆動部３７に出力する。
【００４１】
また、画像処理部３４には、検知部としての変化検知部３５が備えられており、制御部３０の指示に基づいて、異なるフレーム間で画像情報が変化したか否か、即ち時間の経過に伴う画像の変化の有無を検知することができる。本実施形態の変化検知部３５は、画像情報を直接比較する代わりに、１フレームを構成するすべての画素値の総和の下位８ｂｉｔを基準値とし、異なるフレーム間でこの基準値を比較する。そして、基準値が一致する場合には、画像が変化していないものと判断し、基準値が一致しない場合には、画像が変化したものと判断する。変化検知部３５には、過去に算出した基準値を記憶するための図示しないメモリーが備えられている。そして、変化検知部３５は、制御部３０から画像を比較する指示を受けると、最新のフレームの基準値を算出し、メモリーに記憶されている基準値と比較を行って、比較結果を制御部３０に通知する。その後、変化検知部３５は、新たに算出した基準値をメモリーに記憶（上書き）させることにより、メモリーの内容を更新する。
【００４２】
駆動回路３６は、変調駆動部３７と、光源駆動部３８とを備えている。
変調駆動部３７は、画像処理部３４から入力される画像情報に従って光変調装置１４Ｒ，１４Ｇ，１４Ｂを駆動し、光変調装置１４Ｒ，１４Ｇ，１４Ｂに、画像情報に応じた画像光を形成させる。これにより、画像情報に基づく画像光が投写レンズ１６からスクリーンＳＣに投写される。
【００４３】
光源駆動部３８は、制御部３０の指示に基づいて、光源装置１１Ｒ，１１Ｇ，１１Ｂに対する電力の供給を制御し、光源装置１１Ｒ，１１Ｇ，１１Ｂの点灯状態を切り替える。光源駆動部３８は、光源装置１１Ｒ，１１Ｇ，１１Ｂを点灯させたり、消灯させたり、点滅させたりできるとともに、光源装置１１Ｒ，１１Ｇ，１１Ｂに供給する電力を制御することによって点灯時の発光輝度（明るさ）を調整することができる。このため、ユーザーによって入力操作部３２のモード切替キーが操作された場合には、光源駆動部３８は、制御部３０の指示に基づいて、通常モードと省エネモードとを切り替えることができる。
【００４４】
電源回路３９には、外部からＡＣ１００Ｖ等の商用電源が供給される。電源回路３９は、交流電源である商用電源を所定の電圧の直流電源に変換し、駆動回路３６を始めとするプロジェクター１の各部に電力を供給する。
【００４５】
次に、本実施形態のプロジェクター１の動作について説明する。
図３は、通常モードにおけるプロジェクター１の動作を説明するフローチャートである。通常モードでは、制御部３０は、定期的に（例えば、１秒に１回の割合で）図３に示すフローを実行する。そして、画像が変化しない状態が所定の時間だけ継続した場合には、プロジェクター１は、自動的に、即ちユーザーの入力操作に依らずに、省エネモードに移行する。
【００４６】
図３に示すように、ステップＳ１０１では、制御部３０は、変化検知部３５に指示をして画像の変化の有無を検知させる。変化検知部３５は、制御部３０からこの指示を受けると、最新のフレームの基準値を算出し、メモリーに記憶されている基準値と比較を行う。そして、比較結果を制御部３０に通知するとともに、新たに算出した基準値をメモリーに記憶させる。
【００４７】
続くステップＳ１０２では、制御部３０は、変化検知部３５の比較結果に基づき、時間の経過に伴って画像が変化したか否かを判断する。そして、画像が変化した場合にはステップＳ１０３に移行し、画像が変化していない場合にはステップＳ１０４に移行する。
【００４８】
時間の経過とともに画像が変化してステップＳ１０３に移行した場合には、制御部３０は、画像が変化していない時間を計測するための変数（カウンター）を０にリセットしてフローを終了する。なお、このカウンターは、制御部３０内の図示しないＲＡＭに記憶される。
【００４９】
一方、画像が変化せずにステップＳ１０４に移行した場合には、制御部３０は、上述したカウンターを１つインクリメントし、続くステップＳ１０５では、制御部３０は、インクリメント後のカウンターが所定の値（上限値）に達したか否かを判断する。そして、カウンターが上限値に達した場合にはステップＳ１０６に移行し、上限値に達していない場合には、フローを終了する。
【００５０】
カウンターが上限値に達してステップＳ１０６に移行した場合には、制御部３０は、光源駆動部３８に指示をして、プロジェクター１を通常モードから省エネモードに切り替えさせてフローを終了する。光源駆動部３８は、制御部３０からこの指示を受けると、光源装置１１Ｒ，１１Ｇ，１１Ｂに供給する電力を制御することによって点灯時の発光輝度（明るさ）を低減させる。この結果、プロジェクター１は、省エネモードに切り替わる。
【００５１】
プロジェクター１は、上記のように動作するため、例えば、上記のフローを１秒に１回の割合で実行する場合には、カウンターの上限値を１８０に設定しておけば、画像が３分間（１８０秒間）変化しなかった場合に、省エネモードに切り替わることになる。
【００５２】
図４は、省エネモードにおけるプロジェクター１の動作を説明するフローチャートである。省エネモードでは、制御部３０は、定期的に（例えば、１秒に１回の割合で）図４に示すフローを実行する。そして、画像が変化した場合には、プロジェクター１は、自動的に、即ちユーザーの入力操作に依らずに、通常モードに復帰する。
【００５３】
図４に示すように、ステップＳ２０１では、制御部３０は、変化検知部３５に指示をして画像の変化の有無を検知させる。変化検知部３５は、制御部３０からこの指示を受けると、最新のフレームの基準値を算出し、メモリーに記憶されている基準値と比較を行う。そして、比較結果を制御部３０に通知するとともに、新たに算出した基準値をメモリーに記憶させる。
【００５４】
続くステップＳ２０２では、制御部３０は、変化検知部３５の比較結果に基づき、時間の経過に伴って画像が変化したか否かを判断する。そして、画像が変化した場合にはステップＳ２０３に移行し、画像が変化していない場合にはフローを終了する。
【００５５】
画像が変化してステップＳ２０３に移行した場合には、制御部３０は、光源駆動部３８に指示をして、プロジェクター１を省エネモードから通常モードに切り替えさせてフローを終了する。光源駆動部３８は、制御部３０からこの指示を受けると、光源装置１１Ｒ，１１Ｇ，１１Ｂに供給する電力を制御することによって点灯時の発光輝度（明るさ）を増大させる。この結果、プロジェクター１は、通常モードに切り替わり、これ以降、図３に示したフローを定期的に実行する。
【００５６】
なお、ユーザーによって入力操作部３２が操作された場合に通常モードに復帰するようにしてもよい。また、省エネモードが所定時間継続した場合に、電源オフ状態（スタンバイ状態）に移行するようにしてもよい。
【００５７】
以上説明したように、本実施形態のプロジェクター１によれば、以下の効果を得ることができる。
【００５８】
（１）本実施形態のプロジェクター１によれば、画像が変化していない状態が所定の時間だけ継続した場合に、制御部３０は、光源駆動部３８に指示をして、光源装置１１Ｒ，１１Ｇ，１１Ｂの発光輝度を低減させることにより、プロジェクター１を省エネモードに移行させている。このため、画像が変化しない状態で画像情報が入力され続けている場合の無駄な電力消費を抑制することが可能となる。
【００５９】
（２）本実施形態のプロジェクター１によれば、変化検知部３５は、１フレームを構成する画像情報（画素値）に基づいて基準値を算出し、異なるフレーム間で基準値を比較することによって画像の変化の有無を検知するため、異なるフレーム間で画像情報（画素値）を直接比較する場合に比べて、検知を行う際の負荷を軽減することが可能となる。
【００６０】
なお、本実施形態では、省エネモードにおいて、光源装置１１Ｒ，１１Ｇ，１１Ｂの発光輝度を通常モードよりも低減させる（暗くする）ようにしているが、この態様に限定されず、光源装置１１Ｒ，１１Ｇ，１１Ｂを消灯させるようにしてもよいし、光源装置１１Ｒ，１１Ｇ，１１Ｂを点滅させるようにしてもよい。これらの場合でも、通常モードよりも消費電力を低減させる効果を得ることができる。
【００６１】
また、本実施形態において、画像の変化の有無を検知するステップＳ１０１が検知ステップに相当し、省エネモードに切り替えるステップＳ１０６が光源制御ステップに相当する。
【００６２】
（第２実施形態）
次に、第２実施形態のプロジェクターについて説明する。なお、第１実施形態と同一の構成要素には同一の符号を付し、その詳細な説明は省略する。
【００６３】
図５は、本実施形態のプロジェクター１の概略構成を示すブロック図である。
図５に示すように、本実施形態のプロジェクター１は、第１実施形態の構成要素に加えて、電源制御部４０を備えている。電源制御部４０は、制御部３０の指示に基づいて、電源回路３９から駆動回路３６に対する電力の供給を制御する。上記以外の構成については、第１実施形態と同一である。
【００６４】
制御部３０は、ステップＳ１０６（図３参照）にて通常モードから省エネモードに切り替える際には、電源制御部４０に指示をして、駆動回路３６に対する電力の供給を停止させる。この結果、変調駆動部３７及び光源駆動部３８の動作は停止し、光源装置１１Ｒ，１１Ｇ，１１Ｂは消灯する。また、制御部３０は、ステップＳ２０３（図４参照）にて省エネモードから通常モードに切り替える際には、電源制御部４０に指示をして、駆動回路３６に対する電力の供給を再開させる。この結果、変調駆動部３７及び光源駆動部３８は動作を再開し、光源装置１１Ｒ，１１Ｇ，１１Ｂは点灯する。ステップＳ１０６及びステップＳ２０３以外の動作については、第１実施形態と同様である（図３及び図４参照）。
【００６５】
以上説明したように、本実施形態のプロジェクター１によれば、第１実施形態の効果に加えて、以下の効果を得ることができる。
本実施形態のプロジェクター１によれば、画像が変化せずに省エネモードに移行した場合に、駆動回路３６に対する電力供給を停止させているため、電力消費を一層抑制することが可能となる。
【００６６】
なお、本実施形態では、省エネモードにおいて、変調駆動部３７と光源駆動部３８の双方の動作を停止させているが、変調駆動部３７の動作は必ずしも停止させる必要はない。また、本実施形態の省エネモードにおいて、光源駆動部３８に間欠的に電力を供給して、光源装置１１Ｒ，１１Ｇ，１１Ｂを点滅させるようにしてもよい。この場合でも、通常モードよりも消費電力を低減させる効果を得ることができる。
【００６７】
（第３実施形態）
次に、第３実施形態のプロジェクターについて説明する。なお、第１実施形態及び第２実施形態と同一の構成要素には同一の符号を付し、その詳細な説明は省略する。
【００６８】
図６は、本実施形態の画像投写部１０を説明するための説明図である。なお、ブロック図に関しては、第１実施形態と共通である（図１参照）。
図６に示すように、本実施形態のプロジェクター１は、画像投写部１０に光変調装置１４を１つのみ備えた単板式のプロジェクターであり、光変調装置１４に光を導く拡散素子１２及びフィールドレンズ１３も、それぞれ１つずつ備えられている。
【００６９】
光源装置１１Ｒ，１１Ｇ，１１Ｂは、半導体レーザーを備えて構成され、それぞれ反射ミラー１７、第１のダイクロイックミラー１８、第２のダイクロイックミラー１９に向かって光を射出する。光源装置１１Ｒから射出された赤色光は、反射ミラー１７で反射して、第１のダイクロイックミラー１８に向かう。第１のダイクロイックミラー１８は、赤色光を透過させ、緑色光を反射させる光学素子であり、光源装置１１Ｇから射出された緑色光は、第１のダイクロイックミラー１８で反射して赤色光と合成され、第２のダイクロイックミラー１９に向かう。第２のダイクロイックミラー１９は、赤色光及び緑色光を透過させるとともに、青色光を反射させる光学素子であり、光源装置１１Ｂから射出された青色光は、第２のダイクロイックミラー１９で反射して赤色光及び緑色光と合成される。そして、赤色光、緑色光、及び青色光が合成された光は、拡散素子１２及びフィールドレンズ１３を経て、光変調装置１４を照明する。
【００７０】
本実施形態の光変調装置１４は、液晶パネルの各画素の中に、それぞれＲ光、Ｇ光、Ｂ光を透過可能な３つのサブ画素を含んでおり、光源装置１１Ｒ，１１Ｇ，１１Ｂから射出された光を変調して、カラーの画像光を形成する。そして、形成された画像光は、投写レンズ１６から外部のスクリーンＳＣ等に投写される。
【００７１】
本実施形態においても、省エネモードでは、光源装置１１Ｒ，１１Ｇ，１１Ｂを暗くしたり、消灯させたり、点滅させたりすることにより、消費電力が低減するようになっている。また、第２実施形態のように、駆動回路３６への電力供給を停止させることによって、消費電力を低減させるようにしてもよい。
【００７２】
以上説明したように、本実施形態のプロジェクター１によれば、第１実施形態及び第２実施形態と同様の効果を得ることができる。
【００７３】
（変形例）
なお、上記実施形態は、以下のように変更してもよい。
【００７４】
上記実施形態では、光源装置１１Ｒ，１１Ｇ，１１Ｂが半導体レーザーを備えた例を示しているが、光源装置に備わる発光素子は、半導体レーザーに限られず、ＬＥＤ（Light Emitting Diode）やＥＬ（Electro Luminescence）、ＳＬＤ（Super Luminescence Diode）等、他の固体光源であってもよい。また、光源装置として放電型の光源ランプを採用することも可能である。ただし、通常モードと省エネモードとの切り替え、即ち光源装置の点灯状態の切り替えを瞬時に行うためには、固体光源を採用することが望ましい。
【００７５】
上記実施形態では、省エネモードにおいて、光源装置１１Ｒ，１１Ｇ，１１Ｂを暗くしたり、消灯させたりした例を示したが、この態様に限定されない。例えば、３つの光源装置１１Ｒ，１１Ｇ，１１Ｂのうちのいずれか１つ又は２つを消灯するようにしてもよい。また、光源装置１１Ｒ，１１Ｇ，１１Ｂがそれぞれ複数の発光素子を含んで構成されている場合には、一部の発光素子のみを消灯させることによって光源装置１１Ｒ，１１Ｇ，１１Ｂを暗くするようにしてもよい。
【００７６】
図７は、変形例に係る光源装置１１Ｒを説明するための説明図である。なお、図示は省略しているが、他の光源装置１１Ｇ，１１Ｂについても、光源装置１１Ｒと同様の構成を有している。
図７に示すように、この光源装置１１Ｒは、マトリクス状に配置された複数の発光素子（例えば、ＬＥＤ）２０ａ，２０ｂ，２０ｃを含んでおり、このうちの一部の発光素子２０ａは、第１の光源駆動部３８ａによって駆動され、他の発光素子２０ｂ，２０ｃは、第２の光源駆動部３８ｂによって駆動される。このような構成において、省エネモードに切り替わる際には、例えば、第２の光源駆動部３８ｂによる駆動を停止させればよい。或いは、第２実施形態に示したように、第２の光源駆動部３８ｂに対する電力供給自体を停止するようにしてもよい。
【００７７】
なお、省エネモードの際に、光源装置１１Ｒ，１１Ｇ，１１Ｂの一部、或いは、光源装置１１Ｒ，１１Ｇ，１１Ｂを構成する発光素子の一部を消灯させる態様において、消灯させる光源装置（発光素子）を順次切り替えるようにすれば、複数の光源装置（発光素子）間で使用履歴（使用時間）を均一化させることが可能となり、光源装置１１Ｒ，１１Ｇ，１１Ｂの寿命を長くすることが可能となる。
【００７８】
また、省エネモードにおいて、光源装置１１Ｒ，１１Ｇ，１１Ｂを完全に消灯させてしまうと、プロジェクター１の電源がオフになったものとユーザーに勘違いされる恐れがあるが、光源装置１１Ｒ，１１Ｇ，１１Ｂの明るさを低減させたり、光源装置１１Ｒ，１１Ｇ，１１Ｂを点滅させたり、光源装置１１Ｒ，１１Ｇ，１１Ｂの一部、或いは、発光素子の一部を消灯させたりする態様の場合には、消費電力を抑制した状態であることをユーザーに認識させることが容易である。
【００７９】
上記実施形態では、１フレームを構成するすべての画素値の総和の下位８ｂｉｔを基準値としているが、基準値はこれに限定されず、画像の変化を検知する際の目安になる値であれば、他のアルゴリズムで導いた値を用いてもよい。また、変化検知部３５の処理能力に余裕がある場合には、基準値を用いずに、異なるフレーム間ですべての画素値を直接比較する態様にすることも可能である。
【００８０】
上記実施形態では、光源装置１１Ｒ，１１Ｇ，１１Ｂ等が商用電源を電源として動作する例を示したが、電池を電源として動作する態様であってもよい。この場合には、省エネモード時の消費電力の低減によって、電池寿命を長くすることが可能となる。
【００８１】
上記実施形態において、変化検知部３５は、１フレームを構成するすべての画素値に基づいて基準値を算出し、異なるフレーム間でこの基準値を比較するようにしているが、１フレームを複数の領域に区分して、この領域毎に基準値の算出及び比較を行うようにしてもよい。この場合には、基準値の算出や比較を並列に処理することが可能となり、画像の変化の有無の検知を短時間で行うことが可能となる。
【００８２】
上記実施形態では、光変調装置１４，１４Ｒ，１４Ｇ，１４Ｂが、透過型の液晶パネルを備えた例を示したが、反射型の液晶パネル等を備えた反射型の光変調装置を用いることも可能である。また、入射した光の射出方向を画素としてのマイクロミラー毎に制御することにより、光源装置１１Ｒ，１１Ｇ，１１Ｂから射出した光を変調する微小ミラーアレイデバイス等を用いることもできる。
【符号の説明】
【００８３】
１…プロジェクター、１０…画像投写部、１１Ｒ，１１Ｇ，１１Ｂ…光源装置、１２Ｒ，１２Ｇ，１２Ｂ，１２…拡散素子、１３Ｒ，１３Ｇ，１３Ｂ，１３…フィールドレンズ、１４Ｒ，１４Ｇ，１４Ｂ，１４…光変調装置、１５…クロスダイクロイックプリズム、１６…投写レンズ、１７…反射ミラー、１８…第１のダイクロイックミラー、１９…第２のダイクロイックミラー、２０ａ，２０ｂ，２０ｃ…発光素子、３０…制御部、３１…記憶部、３２…入力操作部、３３…画像情報入力部、３４…画像処理部、３５…変化検知部、３６…駆動回路、３７…変調駆動部、３８…光源駆動部、３８ａ…第１の光源駆動部、３８ｂ…第２の光源駆動部、３９…電源回路、４０…電源制御部、ＳＣ…スクリーン。
【図１】
2010286576.tif 000003
【図２】
2010286576.tif 000004
【図３】
2010286576.tif 000005
【図４】
2010286576.tif 000006
【図５】
2010286576.tif 000007
【図６】
2010286576.tif 000008
【図７】
2010286576.tif 000009